(57)【特許請求の範囲】
【請求項１】
１つ以上の焦点検出領域を示す表示マークと撮影中の被写体像とを重ねて表示可能な表示手段と、
操作部材からの操作入力に応じて、メニュー画面に表示された形の異なる複数の表示マークの中から前記表示手段によって表示する前記表示マークを選択する表示マーク選択手段と、
前記表示マーク選択手段により選択された前記表示マークを撮影中の被写体像に重ねて表示するよう前記表示手段を制御する表示制御手段とを有することを特徴とするカメラ。
【請求項２】
複数の焦点検出領域から少なくとも一つの焦点検出領域を選択する焦点検出領域選択手段と、
前記焦点検出領域選択手段により選択された少なくとも１つの前記焦点検出領域を示す表示マークと、当該選択された前記焦点検出領域周辺に位置し被写体の焦点検出を補間するための補間焦点検出領域を示す表示マークと、撮影中の被写体像とを重ねて表示可能な表示手段と、
形の異なる複数の前記表示マークの中から前記表示手段によって表示する前記表示マークを選択する表示マーク選択手段と、
前記焦点検出領域を表示する表示マークと前記補間焦点検出領域を示す表示マークとを形の異なる前記表示マークで表示するよう前記表示手段を制御する表示制御手段とを有することを特徴とするカメラ。
【請求項３】
請求項１または２に記載のカメラにおいて、
前記表示マークは、ドット形状の表示素子の集合体から形成することを特徴とするカメラ。
【請求項４】
請求項１から３のいずれか１項に記載のカメラにおいて、
前記表示マークは、自己発光素子からなることを特徴とするカメラ。
【請求項５】
請求項４に記載のカメラにおいて、
前記自己発光素子は、有機エレクトロルミネッセンス素子からなることを特徴とするカメラ。
【請求項６】
請求項１から５のいずれか１項に記載のカメラにおいて、
前記表示マークは、カメラのメニュー画面から選択できることを特徴とするカメラ。
【請求項７】
請求項１に記載のカメラにおいて、
前記表示制御手段は、前記選択された焦点検出領域の位置の前記表示マークのみを表示することを特徴とするカメラ。
【請求項８】
請求項２に記載のカメラにおいて、
前記表示制御手段は、前記選択された焦点検出領域の位置の前記表示マークの形状を変更可能であることを特徴とするカメラ。
【請求項９】
請求項１または７のいずれか１項に記載のカメラにおいて、
前記表示マークは、光学式ファインダ内に表示されることを特徴とするカメラ。
【請求項１０】
請求項１または７のいずれか１項に記載のカメラにおいて、
前記表示マークは、電子画像表示装置内に表示されることを特徴とするカメラ。
【発明の詳細な説明】
【技術分野】
【０００１】
本発明は、被写体に重畳して表示される測距点表示の制御が可能なカメラに関する。
【背景技術】
【０００２】
従来、自動焦点カメラでは、被写体までの距離を測定する場所を示す測距点をファンダー視野内で被写体に重ねて表示することが知られている。これはフォーカシングスクリーン上、または被写体像の結像面近傍に配置された表示板上に表示マークを刻印等などによって形成し、ＬＥＤ等の照明手段によって照明することによって撮影者が視認できるように構成されている（例えば、特許文献１参照）。
【特許文献１】特開２０００−７５３８９号公報
【発明の開示】
【発明が解決しようとする課題】
【０００３】
しかしながら、従来の測距点表示マークは、フォーカシングスクリーン上、または被写体像の結像面近傍に配置された表示板上に表示マークを刻印等などによって形成しているために、測距点を多点化していくとＬＥＤで照明していないときでも被写体像上に表示マークが黒く視認されるため、被写体像が視認しづらいと言う問題がある。さらに、表示マークの形状が刻印によって決められてしまうため、表示マークの形状を変更することが困難である。
【０００４】
本発明は、上記課題に鑑みて行われたものであり、測距点表示マークの形状が可変であり、被写体像視認時の煩わしさを感じさせない測距点表示装置を有するカメラを提供することを目的とする。
【課題を解決するための手段】
【０００５】
上記課題を解決するために、本発明は、１つ以上の焦点検出領域を示す表示マークと撮影中の被写体像とを重ねて表示可能な表示手段と、操作部材からの操作入力に応じて、メニュー画面に表示された形の異なる複数の表示マークの中から前記表示手段によって表示する前記表示マークを選択する表示マーク選択手段と、前記表示マーク選択手段により選択された前記表示マークを撮影中の被写体像に重ねて表示するよう前記表示手段を制御する表示制御手段とを有することを特徴とするカメラを提供する。
また、本発明は、複数の焦点検出領域から少なくとも一つの焦点検出領域を選択する焦点検出領域選択手段と、前記焦点検出領域選択手段により選択された少なくとも１つの前記焦点検出領域を示す表示マークと、当該選択された前記焦点検出領域周辺に位置し被写体の焦点検出を補間するための補間焦点検出領域を示す表示マークと、撮影中の被写体像とを重ねて表示可能な表示手段と、形の異なる複数の前記表示マークの中から前記表示手段によって表示する前記表示マークを選択する表示マーク選択手段と、前記焦点検出領域を表示する表示マークと前記補間焦点検出領域を示す表示マークとを形の異なる前記表示マークで表示するよう前記表示手段を制御する表示制御手段とを有することを特徴とするカメラを提供する。
【発明の効果】
【０００６】
本発明によれば、測距点の表示マーク形状が可変であり、被写体像視認時の煩わしさを感じさせない測距点表示装置を有するカメラを提供することができる。
【発明を実施するための最良の形態】
【０００７】
以下、本発明の第１実施の形態に関し図面を参照しつつ説明する。
【０００８】
（第１実施の形態）
図１は、本発明の第１実施の形態にかかる測距点表示装置を搭載したデジタル一眼レフカメラの断面図を示す。図２は、図１に示すデジタルカメラのシステム構成のブロック図である。図３は、図１に示すデジタルカメラの背面図である。
【０００９】
図１において、デジタルカメラ１（以後、単にカメラと記す）は交換レンズ１０とカメラボディ２０とが着脱可能なレンズ交換式一眼レフカメラである。不図示の被写体からの光は、例えば６枚のレンズからなる撮影レンズ１１、絞り１２を通過してクイックリターンミラー２１で反射されてフォーカシングスクリーン２２に結像される。なお、交換レンズ１０には不図示のレンズＲＯＭが内蔵されている。
【００１０】
フォーカシングスクリーン２２に結像された被写体像は、ペンタプリズム２３、ダイクロイックミラー２４、および３枚構成の接眼レンズ２５を介して撮影者により視認される。また、カメラ１の上方部には焦点検出時の測距点表示マークを表示するために、自己発光型の表示素子（例えば、有機ＥＬ素子）２６と表示素子（以後、有機ＥＬ素子と記す）２６で表示された表示マークを投影するための投光レンズ２７が配置され、表示された後述する測距点表示マークはダイクロイックミラー２４で接眼レンズ２５方向に反射されて、接眼レンズ２５を介してフォーカシングスクリーン２２に結像された被写体像に重畳されて撮影者に視認される。有機ＥＬ素子２６は、後述するドットマトリックス形状に形成され、例えば赤色のドットによって表示マークが形成される。ダイクロイックミラー２４は赤色の波長領域の光のみを接眼レンズ２５方向に反射する構成であり、この結果撮影レンズ１１からの光をほとんど減光することなく接眼レンズ２５に到達させることができる。なお、有機ＥＬ素子２６で発光される発光色は赤色に限られず、発光色に対応したダイクロイックミラー２４を配置することで色々な色光を使用することができる。また、ダイクロイックミラー２４をガラス板にすることでフルカラー表示することも可能である。
【００１１】
ペンタプリズム２３の射出面後方上部には、被写体輝度を測定するための公知の測光プリズム２９、測光レンズ３０、および測光センサー３２が配設され、カメラ本体の回路部へ接されている。なお、測光レンズ３０と測光センサー３２との間には赤外カットフィルタ３１が設けられている。
【００１２】
ペンタプリズム２３の射出端面下部に斜面部が形成されてプリズム３３が配置され、ファインダ内表示用液晶３４とバックライト３５が配設されている。ファインダ内表示用液晶３４は、後述するファインダの下部に撮影に関する露出制御値、露出モード、露出補正値等の種々のカメラ情報を表示する。
【００１３】
クイックリターンミラー２１に設けられた半透過窓を透過した被写体からの光は、サブミラー４１によりカメラボディ２０の下部に設けられた公知の焦点検出用センサー４２に導かれ焦点検出が行われる。
【００１４】
クイックリターンミラー２１がアップして不図示の撮影位置（ミラーアップ位置）にあるときには、被写体からの光は、露光時間を制御するためのシャッタ４３、およびモアレや偽色を防止するために配置しているローパスフィルター４４を通過して、撮像素子４５に到達して画像信号となる。カメラボディ２０の背面には、撮影した画像を表示するための背面液晶４６が、液晶およびバックライトから構成されて配置されている。
【００１５】
図２において、ＭＰＵ１０１は、カメラ１の制御を司るマイクロコンピュータ、ＳＷ１はレリーズ釦の第１ストロークに連動する半押しスイッチ、ＳＷ２はさらにレリーズ釦の第２ストロークに連動する全押しスイッチである。測光回路１０２は図１の測光センサー３２から得られた出力をＡ／Ｄ変換してＭＰＵ１０１に出力する回路である。露出制御回路１０３は測光回路１０２から得られた被写体の輝度および撮像感度からシャッタースピードと撮影レンズ１１の絞り１２の値を演算してシャッタ制御部１０４と絞り制御部１０５を制御する。レンズ情報入力回路１０６は装着された撮影レンズ１１から開放絞り値、焦点距離、射出瞳などの情報をＭＰＵ１０１へ伝達する。焦点検出回路１０７は図１のカメラ１の底部にあるオートフォーカスのための焦点検出センサー４２から得られた出力をＡ／Ｄ変換してＭＰＵ１０１に出力する回路である。フォーカスエリア表示回路１０８は選択された焦点検出エリアや焦点検出の合焦したエリアを表示するための有機ＥＬ素子２６を制御する回路である。Ｆ内表示回路１０９はファインダＦ（図４参照）の被写体観察画面外にあり撮影に関するカメラ情報Ｓ（図４参照）を図１のファインダ内表示用液晶３４およびバックライト３５を制御して表示する回路である。測光モード設定回路１１０は図３に示すように、カメラ１の背面にある測光モードセレクトダイアル４７の操作によりマルチパターン測光４７ａ、中央部重点測光４７ｂ、スポット測光４７ｃの中から測光モードを選択することにより設定される回路である。カスタムメニュー設定回路１１１はカメラ１の背面に配設されているメニュー釦４８とマルチセレクタ４９により背面液晶表示画面４６を見ながらユーザが任意に測光モードや表示などの機能を設定できる回路である。マルチセレクタ４９はカメラ１の背面に配設され、フォーカスエリアの移動やメニュー操作時に使用する。
【００１６】
撮像素子４５は、画素と呼ばれる光電変換素子（例えば、フォトダイオード）を二次元のマトリックス状に配列して撮像面を形成し、さらにカラーフィルタを配設したものであり、制御回路により撮像面に結像された被写体像に対応した信号電荷を蓄積する。撮像素子４５の代表例としてはＣＣＤやＣＭＯＳセンサーなどがある。
【００１７】
撮像素子４５からの出力信号は、Ａ／Ｄ変換され画像処理回路１１４へ出力される。画像処理回路１１４では光電変換された各色の画像データに対して、ホワイトバランス調整、シャープネス調整、ガンマー補正、階調調整等の画像補正を行う。また各色の画像データに対して補間処理を行う。この補正されたデータはＳＤＲＡＭ１１５と呼ばれるメモリに一時的に記録される。また画像記録用媒体１１６に記録される。画像記録用媒体１１６はコンパクトフラッシュ、ＳＤカード、スマートメディア等各種の媒体が用いられる。
【００１８】
図３において、カメラ１の中央部には背面液晶４６が配置され、カメラのメニュー設定や記録画像の表示等を行う。背面向かって左側にはメニュー釦４８等、右側にはマルチセレクタ４９、ＡＦエリアモードセレクトダイアル５０等が配設されている。
【００１９】
本実施の形態にかかるカメラ１は、４つのＡＦエリアモードが選択可能であり、５０ａはシングルエリアモード、５０ｂはダイナミックＡＦモード、５ｃはグループダイナミックＡＦモード、および５０ｄは至近優先ダイナミックＡＦモードをそれぞれ選択することができる。
【００２０】
５０ａのシングルエリアモードは、選択可能なＡＦエリアの中から１つを選択してＡＦ制御するモードである。５０ｂのダイナミックＡＦモードは、選択した１つのＡＦエリアからピントを合わせたい目的の被写体が一時的に外れた場合でも周りのＡＦエリアで補間してピントを合わせるモードである。５０ｃのグループダイナミックＡＦモードは、複数のＡＦエリアを選択し、この複数のＡＦエリアをグループとして扱い、ピントを合わせたい被写体が一時的に外れた場合でも周りのＡＦエリアで補間してピントを合わせるモードである。５０ｄの至近優先ダイナミックＡＦモードは、すべてのＡＦエリアを使用し、一番手前にある被写体と重なっているＡＦエリアを使用してピントを合わせるモードである。
【００２１】
図４は、本発明の実施の形態にかかるカメラ１のファインダＦの各種情報表示状態を示す。ファインダＦ内には測距点表示マーク５２（本実施の形態では６５箇所ある）とＦ内表示回路１０９によって表示されるカメラ情報窓Ｓが被写体像と共に観察される。測距点表示マーク５２は有機ＥＬ素子２６のドットマトリックスにより形成されて表示される。
【００２２】
図５は、測距点表示マーク５２の１つの部分を拡大表示した図である。有機ＥＬ素子２６は、発光部が約４０ミクロンφのドット５２ａの集合で構成されている。所定の形状になるように発光ドットが制御されてファインダＦを介して撮影者に視認される。発光色は、単色でもフルカラーでも発光可能である。１つのドット５２ａは約４０ミクロンの大きさを有し、２．５倍の投光レンズ２７でファインダＦ上に１ドット当たり約１００ミクロンの大きさで表示される。図５の例では、四角形の測距点表示マーク５２は、一片が約１ｍｍの大きさで視認される。なお、ドットの形状は円形に限らず四角形、あるいは六角形などでも良い。また、１ドットの大きさも４０ミクロンに限られない。１ドットの大きさが小さければより精細に表示することができる。また、投光レンズ２７の倍率によって１ドットの大きさは適宜調整された有機ＥＬ素子２６が使用される。
【００２３】
次に、測距点表示マークの表示例について説明する。図６から図９において、（ａ）はカスタムメニュー表示により測距点表示マークを選択、あるいは変更する様子を、（ｂ）はファンダーＦ内の選択された測距点表示マークの表示状態を示している。
【００２４】
図６（ａ）は、カメラ背後のメニュー釦４８を操作してカスタムメニュー画面を表示し、マルチセレクタ４９を操作して背面液晶４６にカスタムメニュー中のフォーカスエリア表示形状選択画面を表示し、さらにマルチセレクタ４９を操作して、四角形形状を選択した状態を示している。四角形を選択、決定すると、ファインダＦ内に表示される測距点表示マーク５２は選択された四角形が表示される。なお、本実施の形態では、四角形状の測距点表示マーク５２が初期設定として設定されている例を示している。初期設定は四角形に限られないことは言うまでもない。
【００２５】
図７では、測距点表示マーク５２に鍵括弧が選択、決定されファインダＦ内の測距点表示マーク５２が鍵括弧で表示されている場合を示している。
【００２６】
図８では、測距点表示マーク５２に丸印が選択、決定されファインダＦ内の測距点表示マーク５２が丸印で表示されている場合を示している。
【００２７】
この様に、本実施の形態にかかるカメラでは、測距点表示マーク５２をカスタムメニュー中から選択して表示することが可能である。なお、測距点表示マーク５２は上記四角形、鍵括弧、または丸印に限らず後述する十字、×マーク、黒点、星型、ハートマーク、三角形等の色々な形状をカスタムメニュー内に登録しておき選択することが可能である。また、撮影者が作成して記憶しておいた表示マークを選択することも可能である。
【００２８】
図９は、本実施の形態にかかるカメラ１において、ＡＦエリアセレクトダイアル５０を操作してダイナミックＡＦモードを選択した場合のファインダＦ内の測距点表示マーク５２を示している。測距点表示マーク５２のうち四角形５２ｂは、撮影者が選択した優先エリアを表し、十字形５２ｃはピントを合わせたい被写体が一時的に四角形の選択エリア５２ｂから外れた場合に、周りの測距点で補間してピントを合わせを行うための測距点を十字マークで示している。補間エリアの測距点表示マーク５２ｃの形状は、図９（ａ）に示すように、カスタムメニュー画面から、十字マーク以外に×マーク、黒点マーク等を選択して表示することができる。なお、表示マークの形状は十字マーク、×マーク、黒点マーク以外のカメラに記憶されているマークを選択可能である。
【００２９】
ダイナミックＡＦモードでは、補間するエリアが多ければ多いほど動きの速い被写体にピントを合わすには有利であるが、補間するエリアが多くなるほど演算時間がかかるため応答性が悪くなると言う問題がある。このため、本実施の形態のように測距点の数が６５点と多い場合にはすべてのエリアを補間するのは現実的でない。従来、この補間するエリアはカメラの上面液晶表示部またはファインダ画面外に配置された表示部でしか確認できなかった。本実施の形態のカメラでは、表示部を有機ＥＬ素子２６を用いた自発光素子であるため、測距点表示マーク５２を任意に選択、表示することが可能であり、また表示マークを変えることができるので、表示されたエリアがダイナミックＡＦモードにおける選択エリアであるか補間エリアであるかどうかの判別を容易に行うことができる。
【００３０】
図１０は、グループＡＦモード時のファインダＦ内の測距点表示マークの例を示している。グループＡＦモードは、選択された複数の測距点のうち最も近い測距点にピントを合わせる動作を言う。図１０では、３つのグループ５２Ａ、５２Ｂ、５２Ｃを一度に表示して示している。グループ５２Ａは中央の横方向の測距点１１個を１つのグループにして外枠５２Ａ−１で囲んで表示したものである。グループ５２Ｂは中央の縦方向の測距点７個を１つのグループにして外枠５２Ｂ−１で囲んで示したものである。グループ５２Ｃは右斜め上の４個の測距点を１つのグループにして外枠５２Ｃ−１で囲んで示したものである。本実施の形態のカメラ１では、測距点表示に自発光素子である有機ＥＬ素子２６を用いているため、選択された測距点のグループを多角形の外枠で囲んで表示して撮影者に視認させることができる。なお、グループＡＦモードの表示は、上述したように外枠で囲って視認できるようにする以外に、グループで選択されされた測距点のみの表示マークを点灯することで視認できるようにすることもできる。また、グループで選択された測距点のみの表示色を変えたり、形状を変える等により視認できるようにすることもできる。
【００３１】
本第１実施の形態にかかるカメラでは、自発光素子を用いて測距点表示マークを表示するようにすることで、色々な測距点情報を撮影者に容易に視認可能にすることができると共に、各モードに必要な測距点のみを表示するようにすることができるため、被写体像と重畳して表示したときでも観察者の煩わしさを軽減することが可能になる。
【００３２】
（第２実施の形態）
図１１は、本発明の第２実施の形態にかかるコンパクトデジタルカメラの背面構成図である。
【００３３】
図１１において、コンパクトデジタルカメラカメラ（以後、デジカメと略記する）６１の背後には、ファインダ６２（例えば、光学式ファインダ）、背面液晶表示部６３、メニュー釦６４、マルチセレクタ６５、ワイドーテレ釦６６等が配設されている。撮影者は、ファインダ６２または背面液晶表示部６３の被写体を観察しながら所望の被写体像の時にシャッタ釦６7を押して被写体像を電子像として撮像する。撮像した被写体像は、デジカメ６１に内蔵されている不図示のメモリに記憶され、かつ背面液晶表示部６３に表示される。
【００３４】
被写体に対するオートフォーカス動作は、ファンダー６２内の測距点表示マーク７１を基に行われる。従来、測距点表示マーク７１は、表示形状が固定で、ファインダ６２内に被写体像と重畳して観察できるように構成されている。このため、測距点表示マーク７１が数多くなると被写体を視認する際に煩わしく感じるようになる。
【００３５】
ファインダ６２内に自発光素子であるシート状の有機ＥＬ素子を配設して、この有機ＥＬ素子の形状を第１実施の形態と同様のドットマトリックス状に形成することで、第１実施の形態と同様の表示を可能にできる。この結果、本第２実施の形態にかかるデジカメ６１では、第１実施の形態と同様に煩わしさを軽減することが可能になる。
【００３６】
また、本第２実施の形態にかかるデジカメ６１では、背面液晶表示６３上に測距点表示マーク７３を表示して測距点を確認することができる。なお、光学式ファインダ６２に代えて背面液晶表示６３と同様の構成を用いて電子ビューファインダを構成することも可能である。
【００３７】
上記測距点表示マーク７１、７３は、その形状を図２１に示すカスタムメニュー画面８１で変更することが可能である。図１２に示すカスタムメニュー画面８１は、背面液晶表示部６３にメニュー釦６４を操作し、マルチセレクタ６５を操作することで表示することができ、マルチセレクタ６５で測距点表示マークの形状を、鍵括弧８１ａ、ハート８１ｂ、あるいは星形８１ｃの中から選択することができる。なお、測距点表示マークの形状はこれらの形状に限定されることなく色々な形状を用いることが可能である。
【００３８】
本第２実施の形態によれば、コンパクトデジタルカメラのファインダ６２あるいは背面液晶表示部６３に表示される測距点表示マーク７１または７３を任意の形状に変更すること、あるいは必要な測距点のみに表示することが可能になる。
【００３９】
なお、上記実施の形態では、自発光素子は有機ＥＬ素子を代表として説明したが、その他に例えば、ドットマトリックスＬＣＤとＬＥＤの組み合わせ素子等を使用することも可能である。また、光学式ファインダに限らず電子式ファインダでも同様の効果を奏することが可能である。電子ファインダでは、一般的にフルカラー表示が行われているので、測距点表示マークの形状、色等をカスタムメニュー画面から選択することによって容易に変更することが可能である。
【００４０】
なお、本発明の実施の形態では、測距点表示マークはカメラに記憶されているマークの中から選択する場合を説明したが、ユーザが好みの形状を作成し入力して記憶できるように構成し、ユーザが作成した表示マークを選択するようにすることも可能である。
【００４１】
この様に本発明によれば、オートフォーカスカメラの測距点表示マークの形状を種々の形状や色に変更して表示することが可能になり、被写体像と重畳して観察する際の煩わしさを軽減することが可能となる。また、選択された測距点表示マークのみを表示するようにすることで被写体像と重畳して観察する際の煩わしさを軽減することが可能となる。また、選択されたＡＦモードによって測距点表示マークを変えることができ、撮影者にＡＦモードあるいは作用する範囲等のを視認可能になる。また、測距点表示マークを撮影者の好みの形状に変える事も可能でありファッション性を向上させることも可能である。
【００４２】
なお、上述の実施の形態は例に過ぎず、上述の構成や形状に限定されるものではなく、本発明の範囲内において適宜修正、変更が可能である。
【図面の簡単な説明】
【００４３】
【図１】本発明の第１実施の形態にかかる測距点表示装置を搭載したデジタル一眼レフカメラの断面図を示す。
【図２】図１に示すデジタル一眼レフカメラのシステム構成のブロック図である。
【図３】図１に示すデジタル一眼レフカメラの背面図である。
【図４】図１に示すデジタル一眼レフカメラのファインダ内の各種情報表示状態を示す。
【図５】図１に示すデジタル一眼レフカメラのファインダ内に表示される測距点表示マーク５２の１つを拡大表示した図である。
【図６】（ａ）はカスタムメニューの測距点表示マークを選択状態を、（ｂ）は選択した測距点表示マークによるファンダーの表示状態を示している。
【図７】（ａ）はカスタムメニューの測距点表示マークを選択状態を、（ｂ）は選択した測距点表示マークによるファンダーの表示状態を示している。
【図８】（ａ）はカスタムメニューの測距点表示マークを選択状態を、（ｂ）は選択した測距点表示マークによるファンダーの表示状態を示している。
【図９】（ａ）はカスタムメニューの測距点表示マークを選択状態を、（ｂ）は選択した測距点表示マークによるファンダーの表示状態を示している。
【図１０】グループＡＦモード時のファインダＦ内の測距点表示マークの表示例を一度に表示して示している。
【図１１】本発明の第２実施の形態にかかるコンパクトデジタルカメラの背面構成図である。
【図１２】図１１に示すコンパクトカメラのカスタムメニュー画面で測距点表示マークを選択するようするを示す。
【符号の説明】
【００４４】
１    カメラ（デジタル一眼レフカメラ）
１０  交換レンズ
１１  撮影レンズ
１２  絞り
２０  カメラボディ
２１  クイックリターンミラー
２２  フォーカシングスクリーン
２３  ペンタプリズム
２４  ダイクロイックミラー
２５  接眼レンズ
２６  表示素子（有機ＥＬ素子）
２７  投光レンズ
２９  測距プリズム
３０  測距レンズ
３１  赤外カットフィルタ
３２  測光センサー
３３  プリズム
３４  ファインダ内表示用液晶
３５  バックライト
４１  サブミラー
４２  焦点検出用センサー
４３  シャッタ
４４  ローパスフィルター
４５  撮像素子
４６  背面液晶
４７  測光モードセレクトダイアル
４８  メニュー釦
４９  マルチセレクタ
５０  ＡＦエリアモードセレクトダイアル
４２  測距点表示マーク
６１  コンパクトデジタルカメラ（デジカメ）
６２  ファインダ
６３  背面液晶表示部
６４  メニュー釦
６５  マルチセレクタ
６６  ワイド−テレ釦
６７  シャッタ釦
７１，７３  測距点表示マーク
１０１  ＭＰＵ
１０２  測光回路
１０３  露出制御回路
１０４  シャッタ制御部
１０５  絞り制御部
１０６  レンズ情報入力回路
１０７  焦点検出回路
１０８  フォーカスエリア表示回路
１０９  Ｆ内表示回路
１１０  測光モード設定回路
１１１  カスタムメニュー設定回路
１１４  画像処理回路
１１５  メモリ（ＳＤＲＡＭ）
１１６  画像記録用媒体
Ｆ    ファインダ
Ｓ    カメラ情報窓
【図１】
0004508104.tif 000002
【図２】
0004508104.tif 000003
【図３】
0004508104.tif 000004
【図４】
0004508104.tif 000005
【図５】
0004508104.tif 000006
【図６】
0004508104.tif 000007
【図７】
0004508104.tif 000008
【図８】
0004508104.tif 000009
【図９】
0004508104.tif 000010
【図１０】
0004508104.tif 000011
【図１１】
0004508104.tif 000012
【図１２】
0004508104.tif 000013